(57)【要約】      （修正有）【課題】バレーボール用アンテナの設置が容易であり、バレーボールアンテナの垂直状態を保つことができる、バレーボールアンテナの取付具を提供する。【解決手段】バレーボールアンテナ取付具は、上端側が開放した袋状のアンテナ収納体２と、アンテナ収納体２の側部に連続して形成された帯体３とを有し、帯体３の上端側には、ネット挟持片４がネット１を挟み込み可能に接続されており、帯体３の下端側には、固定片５が折り返し可能に接続されており、帯体３のネット挟持片４との接触面には、帯体用面ファスナーのループ面が取り付けられ、ネット挟持片４の帯体３との接触面には、帯体用面ファスナーのフック面が取り付けられ、帯体３には、横巻固定体８が取り付けられ、横巻固定体８は、一方の面に横巻固定体用面ファスナーのループ面が取り付けられ、他方の面に横巻固定体用面ファスナーのフック面が取り付けられている。【選択図】図１
0003232169.tif 000002
【実用新案登録請求の範囲】
【請求項１】
バレーボール用のネットの縦方向長さと同程度の長さを有し、バレーボール用のネットに取り付けるアンテナを収納する、上端側が開放した袋状のアンテナ収納体と、
該アンテナ収納体の側部に連続して形成されたバレーボールのコートラインと同じ幅の帯体とを有し、
前記アンテナ収納体が、収納するアンテナの色分けと同じ色と間隔で、白色と赤色に色分けされており、
該帯体の上端側には、該帯体と同程度の幅で同程度の長さのネット挟持片が、二つ折り状態でネットを挟み込み可能に接続されており、
該帯体の下端側には、該帯体と同程度の幅で前記ネット挟持片の下部と重なる長さの固定片が、折り返し可能に接続されており、
該帯体の上端部、中間部、下端部のネット挟持片との接触面である内側面には、帯体用面ファスナーの一方が取り付けられ、
前記ネット挟持片の上端部、中間部、下端部の帯体との接触面である内側面には、帯体用面ファスナーの他方が取り付けられ、
該ネット挟持片の下端部の外側面には、固定片用面ファスナーの一方が取り付けられ、
前記固定片の下端部のネット挟持片との接触面には、固定片用面ファスナーの他方が取り付けられ、
前記帯体の上端部、中間部、下端部の外側面には、前記アンテナ収納体を巻き込んで帯体の横方向に巻き付く横巻固定体が取り付けられ、
該横巻固定体は、一方の面に横巻固定体用面ファスナーの一方が取り付けられ、他方の面に横巻固定体用面ファスナーの他方が取り付けられ、
前記横巻固定体が、前記帯体の上端部に１本、中間部に１本、下端部に１本、各々取り付けられていることを特徴とする、
バレーボールアンテナ取付具。
【請求項２】
前記横巻固定体の帯体への取り付け箇所に、補強片が取り付けられていることを特徴とする、請求項１に記載のバレーボールアンテナ取付具。
【請求項３】
前記ネット挟持片の上端部、中間部、下端部の帯体との接触面である内側面には、帯体用面ファスナーの他方が取り付けられると共に、帯状の補強帯が形成されていることを特徴とする、請求項１または２に記載のバレーボールアンテナ取付具。
【考案の詳細な説明】
【技術分野】
【０００１】
本考案は、バレーボールアンテナ取付具に関し、詳細にはバレーボールを行う際に、バレーボール用のネットに取り付けるバレーボールアンテナ取付具に関する。
【背景技術】
【０００２】
バレーボール用のネットに取り付けるバレーボールアンテナ取付具として、特許文献１に記載のものが知られている。
【０００３】
該特許文献１に記載のバレーボールアンテナ取付具は、ネットの縦方向の長さに対応したアンテナ収納部と、該アンテナ収納部に続くコートライン対応帯を有し、該コートライン対応帯の上下端部に、面ファスナーによるネットへの取付片を取り付けたものである。
該バレーボールアンテナ取付具によれば、設置の際には、コートライン対応帯を、床面に張られたラインテープに合わせることによって、アンテナの垂直出しを容易に行うことができる。
この際、面ファスナーによって、ネットの上下端の部分を挟み込んだ状態で固定することができるので、バレーボール用アンテナの設置が容易となる。
【０００４】
ここで、コートライン対応帯の中間部に、面ファスナーによる取付片を取り付けたものは、上下端だけでなく、中間部においてもネットの一部を挟み込んだまま固定するので、強固にバレーボールアンテナを取り付けることができる。
【先行技術文献】
【特許文献】
【０００５】
【特許文献１】特開２０１７−５５８５７号公報
【考案の概要】
【考案が解決しようとする課題】
【０００６】
特許文献１に記載のバレーボールアンテナ取付具は、主にキッズでの使用を考慮したものであるため、高校生レベルの競技者が使用すると、中間部に面ファスナーによる取付片を取り付けたとしても、ネットにボールがかかる衝撃により、面ファスナーによる取り付け箇所がずれて、バレーボールアンテナの垂直状態を保てなくなる場合があった。
そこで、バレーボール用アンテナの設置が容易であり、さらに、高校生レベルの競技者が使用しても、バレーボールアンテナの垂直状態を保つことができる、バレーボールアンテナの取付具が望まれていた。
【課題を解決するための手段】
【０００７】
本考案の課題を解決するための手段は、下記のとおりである。
【０００８】
第１に、
バレーボール用のネットの縦方向長さと同程度の長さを有し、バレーボール用のネットに取り付けるアンテナを収納する、上端側が開放した袋状のアンテナ収納体と、
該アンテナ収納体の側部に連続して形成されたバレーボールのコートラインと同じ幅の帯体とを有し、
前記アンテナ収納体が、収納するアンテナの色分けと同じ色と間隔で、白色と赤色に色分けされており、
該帯体の上端側には、該帯体と同程度の幅で同程度の長さのネット挟持片が、二つ折り状態でネットを挟み込み可能に接続されており、
該帯体の下端側には、該帯体と同程度の幅で前記ネット挟持片の下部と重なる長さの固定片が、折り返し可能に接続されており、
該帯体の上端部、中間部、下端部のネット挟持片との接触面である内側面には、帯体用面ファスナーの一方が取り付けられ、
前記ネット挟持片の上端部、中間部、下端部の帯体との接触面である内側面には、帯体用面ファスナーの他方が取り付けられ、
該ネット挟持片の下端部の外側面には、固定片用面ファスナーの一方が取り付けられ、
前記固定片の下端部のネット挟持片との接触面には、固定片用面ファスナーの他方が取り付けられ、
前記帯体の上端部、中間部、下端部の外側面には、前記アンテナ収納体を巻き込んで帯体の横方向に巻き付く横巻固定体が取り付けられ、
該横巻固定体は、一方の面に横巻固定体用面ファスナーの一方が取り付けられ、他方の面に横巻固定体用面ファスナーの他方が取り付けられていることを特徴とする、
バレーボールアンテナ取付具。
第２に、
前記横巻固定体の帯体への取り付け箇所に、補強片が取り付けられていることを特徴とする、前記第１に記載のバレーボールアンテナ取付具。
第３に、
前記ネット挟持片の上端部、中間部、下端部の帯体との接触面である内側面には、帯体用面ファスナーの他方が取り付けられると共に、帯状の補強帯が形成されていることを特徴とする、前記第１または第２に記載のバレーボールアンテナ取付具。
第４に、
前記横巻固定体が、前記帯体の上端部に２本、中間部に２本、下端部に２本、各々取り付けられていることを特徴とする、前記第１〜第３のいずれか一つに記載のバレーボールアンテナ取付具。
第５に、
前記横巻固定体が、前記帯体の上端部に１本、中間部に１本、下端部に１本、各々取り付けられていることを特徴とする、前記第１〜第３のいずれか一つに記載のバレーボールアンテナ取付具。
第６に、
前記横巻固定体が、前記アンテナ収納体を巻き込んで前記帯体の横方向に巻きつけた際に白色部分に巻き付くように、前記帯体の上端部、中間部、下端部に取り付けられていることを特徴とする、前記第１〜第５のいずれか一つに記載のバレーボールアンテナ取付具。
【考案の効果】
【０００９】
本考案によれば、以下の効果を奏することができる。
【００１０】
本考案のバレーボールアンテナ取付具によれば、面ファスナーによって、帯体とネット挟持片とでネットを挟みことで設置するので、バレーボール用アンテナの設置が容易である。
また、帯体の外側面には、アンテナ収納体を巻き込んで帯体の横方向に巻き付く横巻固定体が取り付けられ、該横巻固定体は、一方の面に横巻固定体用面ファスナーの一方が取り付けられ、他方の面に横巻固定体用面ファスナーの他方が取り付けられているので、帯体とネット挟持片とで挟みこまれたネットが、横巻固定体によって強固に固定される。
【００１１】
特に、横巻固定体の帯体との接続箇所に、補強片を設けたものは、設置の際に大きな力で取り付けても、帯体が湾曲して潰れるように変形してしまうこともないので、より強固に固定される。
さらに、ネット挟持片に補強帯を設けることで、使用中にボールが強くぶつかっても、取り付け位置を保つことができる。
【００１２】
そのため、高校生レベルの競技者が使用しても、バレーボールアンテナの垂直状態を保つことができる。
その上、帯体の下端側に折り返し可能に固定片を取り付けたものは、より強固に固定することが可能となる。
【図面の簡単な説明】
【００１３】
【図１】本考案に係るバレーボールアンテナ取付具の実施例１の使用状態を示す説明図である。
【図２】図１の矢印方向における縦断面図である。
【図３】本考案に係るバレーボールアンテナ取付具の実施例１の背面図である。
【図４】本考案に係るバレーボールアンテナ取付具の実施例１の前面図である。
【図５】本考案に係るバレーボールアンテナ取付具の実施例２の使用状態を示す説明図である。
【図６】図５の矢印方向における縦断面図である。
【図７】本考案に係るバレーボールアンテナ取付具の実施例２の背面図である。
【図８】本考案に係るバレーボールアンテナ取付具の実施例２の前面図である。
【図９】図７のＡ−Ａ断面図である。
【考案を実施するための形態】
【００１４】
以下、本考案を実施するための形態を、図面を参照しつつ具体的に説明する。
ここで、添付図面において同一の部材には同一符号を付しており、また重複した説明は省略される場合がある。
なお、ここでの説明は本考案が実施される一形態であることから、本考案は該当形態に限定されるものではない。
また、本実施例に係るバレーボールアンテナ取付具は、あくまでも構造の一例を示すものであり、バレーボールの競技におけるルールを考慮したものではない。
［実施例１］
【００１５】
図１に示すように、本実施例１に係るバレーボールアンテナ取付具は、上部白帯１１と下部白帯１２とネット本体１３とで構成するバレーボール用ネット１に、白色と赤色（図面では黒色）とで色分けされたアンテナ１０を垂直状態に保つように取り付けるものである。
該実施例１に係るバレーボールアンテナ取付具は、図１に示すように、アンテナ収納体２と、帯体３と、ネット挟持片４と、固定片５と、各取付箇所で２本を一組とする横巻固定体８とを有するものである。
【００１６】
図１に示すように、アンテナ収納体２は、バレーボール用ネット１の縦方向長さとほぼ同じ長さを有するものである。
図１〜図４に示すように、アンテナ収納体２は、アンテナ１０を収納するために、細長い帯状素材の中心線を基準にして二つ折りにして側部及び底部を縫い付けることで形成した上端側が開放した細長い袋状のものであり、収納するアンテナ１０の色分けと同じ色と間隔で、白色と赤色（図面では黒色）に色分けされている。
【００１７】
図３〜図４に示すように、帯体３は、バレーボールのコートラインとほぼ同じ幅の帯状素材を、アンテナ収納体２の側部に沿って上から下まで縫い付けることにより、アンテナ収納体２の側部に連続して形成したものである。
図４に示すように、帯体３の上端部、中間部、下端部のネット挟持片４との接触面である内側面には、帯体用面ファスナーのループ面６２が取り付けられている。
【００１８】
図３〜図４に示すように、ネット挟持片４は、帯体３と同じ幅で同じ長さの帯状素材を、帯体３の上端側に縫い付けることで接続して一体化し、図２に示すように、二つ折り状態でバレーボール用ネット１を挟み込み可能にしたものである。
図４に示すように、ネット挟持片４の帯体３との接触面である内側面には、帯体３の上端部、中間部、下端部の対応箇所に、帯体用面ファスナーのフック面６１が各々取り付けられている。
図３に示すように、ネット挟持片４の外側面の二つ折り状態での下端部（図３では上端部）には、固定片用面ファスナーのループ面７２が取り付けられている。
【００１９】
図３〜図４に示すように、固定片５は、帯体３と同じ幅で、二つ折り状態のネット挟持片４の下部と一部が重なる長さの帯状素材を、帯体３の下端側に縫い付けて帯体３と一体化することで、折り返し可能に接続したものである。
図４に示すように、固定片５の下端部のネット挟持片４との接触面には、固定片用面ファスナーのフック面７１が取り付けられている。
【００２０】
図３〜図４に示すように、横巻固定体８は、帯体４の上端部、中間部、下端部の外側面に、アンテナ収納体２を巻き込んで帯体４の横方向に巻き付くことができるように、上端部に２本、中間部に２本、下端部に２本、テープ状素材を帯体４に縫い付けることで、各々取り付けられたものである。
なお、図示は省略するが、ルールに適合するように、アンテナ収納体２の赤色部分（図面では黒色部分）に横巻固定体８がかからないようするため、アンテナ収納体２を巻き込んで帯体３の横方向に巻きつけた際に白色部分のみに巻き付くように、帯体３の上端部、中間部、下端部に、横巻固定体８を取り付けることもできる。
【００２１】
図３に示すように、横巻固定体８の一方の面の中間部には、横巻固定体用面ファスナーのループ面９２が取り付けられている。
図４に示すように、横巻固定体８の他方の面の端部には、横巻固定体用面ファスナーのフック面９１が取り付けられている。
【００２２】
次に、上記のバレーボールアンテナ取付具の設置手順について説明する。
【００２３】
アンテナ収納体２にアンテナ１０を差し込むことで収納したバレーボールアンテナ取付具を、バレーボール用ネット１に近づけ、ネット挟持片２を反対側に投げ込み、ネット１を帯体３とネット挟持片４とで挟み込む。
この際、帯体３がバレーボールコートのラインと直線状になるように意識することで、アンテナ１０を垂直にすることが容易となる。
【００２４】
そして、帯体固定用面ファスナーのフック面６１と帯体固定用面ファスナーのループ面６２とを合わせることで固定する。
また、固定片５を折り返し、固定片用面ファスナーのフック面７１と固定片用面ファスナー７２とを合わせる。
さらに、各横巻固定体８を、帯体３及びアンテナ収納体２の外周の横方向に巻きつけ、横巻固定体用面ファスナーのループ面９２に、横巻固定体用面ファスナーのフック面９１を合わせて固定する。
【００２５】
上記のバレーボールアンテナ取付具は、面ファスナーによって、帯体とネット挟持片とでネットを挟みことで設置するので、バレーボール用アンテナの設置が容易となる。
また、競技者のボールにより強い衝撃力がかかるネットの複数箇所について、面ファスナーで固定することで、強固に固定することが可能となる。
そのため、高校生レベルの競技者が使用しても、バレーボールアンテナの垂直状態を保つことができる。
［実施例２］
【００２６】
図５に示すように、本実施例２に係るバレーボールアンテナ取付具は、前記実施例１と同様に、上部白帯１１と下部白帯１２とネット本体１３とで構成するバレーボール用ネット１に、白色と赤色（図面では黒色）とで色分けされたアンテナ１０を垂直状態に保つように取り付けるものである。
該実施例２に係るバレーボールアンテナ取付具は、図５に示すように、アンテナ収納体２と、帯体３と、ネット挟持片４と、固定片５と、各取付箇所で１本による横巻固定体８とを有するものである。
【００２７】
図５に示す、アンテナ収納体２、帯体３、固定片５は、前記実施例１と同様のものなので、説明は省略する。
【００２８】
図７〜図８に示すように、ネット挟持片４は、帯体３と同じ幅で同じ長さの帯状素材を、帯体３の上端側に縫い付けることで接続して一体化し、図６に示すように、二つ折り状態でネット１を挟み込み可能にしたものである。
図８に示すように、ネット挟持片４の帯体３との接触面である内側面には、帯体３の上端部、中間部、下端部の対応箇所に、帯体用面ファスナーのフック面６１が各々取り付けられている。
本実施例２では、強度を向上させるために、ネット挟持片４の接触面側の両側部に帯状の補強帯４１が形成されている。
該２本の補強帯は、テープ状のワンナップ（登録商標）ターポリンを、ネット挟持片４に溶着することで形成されている。
図７に示すように、ネット挟持片４の外側面の二つ折り状態での下端部（図３では上端部）には、固定片用面ファスナーのループ面７２が取り付けられている。
【００２９】
図６〜図８に示すように、横巻固定体８は、帯体４の上端部、中間部、下端部の外側面に、アンテナ収納体２を巻き込んで帯体４の横方向に巻き付くことができるように、上端部に１本、中間部に１本、下端部に１本、テープ状素材を帯体４に縫い付けることで、各々取り付けられたものである。
なお、図示は省略するが、ルールに適合するように、アンテナ収納体２の赤色部分（図面では黒色部分）に横巻固定体８がかからないようするため、アンテナ収納体２を巻き込んで帯体３の横方向に巻きつけた際に白色部分のみに巻き付くように、帯体３の上端部、中間部、下端部に、１本で構成された横巻固定体８を取り付けることもできる。
【００３０】
図７に示すように、横巻固定体８の一方の面の中間部には、横巻固定体用面ファスナーのループ面９２が取り付けられている。
図８に示すように、横巻固定体８の他方の面の端部には、横巻固定体用面ファスナーのフック面９１が取り付けられている。
【００３１】
本実施例２では、横巻固定体８が縫い付けられた帯体４への取り付け箇所に、硬質プラスチック板による補強片８１が上から取り付けられている。
該補強片８１は、幅が帯体４の幅とほぼ同様であり、高さが横巻固定体８の幅より少しだけ大きなものであり、硬質プラスチック板以外にも、ステンレス板等の金属薄板、合成ベニヤ板等の木片等で形成することもできる。
該補強片８１の取り付けは、帯体４の素材と同様な素材で、補強片８１より大きな長方形状の素材片を用い、横巻固定体８の帯体４への固定箇所上に載せた補強片８１を、該素材片で覆い周囲を縫い付けることで行うことができる。
【００３２】
本実施例２のバレーボールアンテナ取付具の設置手順についても、前記実施例１と同内容の説明は省略する。
【００３３】
本実施例２では、各１本の横巻固定体８を、帯体３及びアンテナ収納体２の外周の横方向に巻きつけ、横巻固定体用面ファスナーのループ面９２に、横巻固定体用面ファスナーのフック面９１を合わせて固定する際、すなわち、設置の際に、横巻固定体８を強く引っ張ることで大きな力をかけても、横巻固定体８の帯体３への取付箇所に補強片８１があるので、帯体３が湾曲して潰れるように変形してしまうこともないので、より強固に固定されることになる。
また、１本の横巻固定体８を取り付けるだけで強固に固定することができるので、簡単に設置することができる。
【００３４】
加えて、ネット挟持片４の接触面側に補強帯４１を設けることで、より強固に固定されるので、大きな力がかけられても取り付け位置を保つことができる。
【符号の説明】
【００３５】
１  バレーボール用ネット
１０  アンテナ
１１  上部白帯
１２  下部白帯
１３  ネット本体
２  アンテナ収納体
３  帯体
４  ネット挟持片
４１  補強帯
５  固定片
６１  帯体用面ファスナーのフック面
６２  帯体用面ファスナーのループ面
７１  固定片用面ファスナーのフック面
７２  固定片用面ファスナーのループ面
８  横巻固定体
８１  補強片
９１  横巻固定体用面ファスナーのフック面
９２  横巻固定体用面ファスナーのループ面
【図１】
0003232169.tif 000003
【図２】
0003232169.tif 000004
【図３】
0003232169.tif 000005
【図４】
0003232169.tif 000006
【図５】
0003232169.tif 000007
【図６】
0003232169.tif 000008
【図７】
0003232169.tif 000009
【図８】
0003232169.tif 000010
【図９】
0003232169.tif 000011